(57)【要約】【課題】冷蔵庫の断熱性能を向上させることができる技術を提供する。【解決手段】  冷蔵庫は、本体と、扉と、ガスケットと、を備える。扉は、本体に設けられた貯蔵室の前面開口部を開閉する。ガスケットは、扉の裏面と前面開口部の周縁部との間をシールし、扉の裏面に設けられた溝部に係合する係合部を有する。溝部の開口部は、本体を正面視したときに、扉の裏面であって溝部より本体外周側に位置する部分よりも貯蔵室の前面開口部側に位置している。【選択図】図３
2019219082.tif 000002
【特許請求の範囲】
【請求項１】
本体と、
前記本体に設けられた貯蔵室の前面開口部を開閉する扉と、
前記扉の裏面と前記前面開口部の周縁部との間をシールするガスケットであって、前記扉の前記裏面に設けられた溝部に係合する係合部を有する、前記ガスケットと、を備えており、
前記溝部の開口部は、前記本体を正面視したときに、前記扉の前記裏面であって前記溝部より前記本体外周側に位置する部分よりも前記貯蔵室の前記前面開口部側に位置している、冷蔵庫。
【請求項２】
前記扉の前記裏面であって前記溝部より前記本体中央側に位置する部分は、前記溝部の前記開口部に接続されている、請求項１に記載の冷蔵庫。
【請求項３】
前記ガスケットは、
磁石と、
前記磁石を収容する磁石収容部と、
前記係合部と前記磁石収容部とを接続しており、前記磁石収容部の前記本体中央側の面から伸びる第１連結部と、
前記係合部と前記磁石収容部とを接続しており、前記磁石収容部の前記本体中央側の面であって前記第１連結部よりも前方から伸びる第２連結部と、をさらに備えており、
前記第１連結部は、前記本体中央側に湾曲する第１湾曲部を有しており、
前記第２連結部は、前記本体中央側に湾曲する第２湾曲部を有している、請求項１又は２に記載の冷蔵庫。
【請求項４】
前記本体を正面視したときに、前記磁石が前記溝部よりも前記本体外周側に位置している、請求項３に記載の冷蔵庫。
【請求項５】
前記磁石の厚み方向の長さは、前記磁石の幅方向の長さ以上である、請求項４に記載の冷蔵庫。
【請求項６】
前記ガスケットは、前記第１湾曲部から前記本体中央側に突出する第１突起部を有しており、
前記第１突起部は、前記扉が前記貯蔵室の前記前面開口部を閉塞する閉塞状態において、前記溝部より前記本体中央側の前記扉の前記裏面に当接する、請求項３〜５のいずれか一項に記載の冷蔵庫。
【請求項７】
前記ガスケットは、前記第１湾曲部から前記本体中央側に突出しており、前記第１突起部よりも後方に位置する第２突起部をさらに有しており、
前記第２突起部は、前記閉塞状態において、前記本体に当接する、請求項６に記載の冷蔵庫。
【請求項８】
前記第１突起部と前記第２突起部の間の範囲における前記第１連結部の厚みは、他の部分における前記第１連結部の厚みよりも薄い、請求項７に記載の冷蔵庫。
【請求項９】
前記扉は、前記前面開口部に対して回動可能に枢支されており、
前記ガスケットは、前記係合部と前記第１連結部との間を接続しており、前記ガスケットの厚み方向に延在する直線状の第３連結部をさらに有する、請求項３〜８のいずれか一項に記載の冷蔵庫。
【請求項１０】
前記扉は、前記前面開口部に対して回動可能に枢支されており、
前記扉の枢支側の外縁に、前記扉の前記裏面であって前記溝部より前記本体外周側に位置する部分よりも後方に突出する突出部が設けられており、
前記突出部には、前記突出部の幅が本体外周側から徐々に小さくなる傾斜部が設けられている、請求項３〜９のいずれか一項に記載の冷蔵庫。
【請求項１１】
前記突出部と前記前面開口部の前記周縁部との間の距離が、５．６ｍｍ未満である、請求項１０に記載の冷蔵庫。
【請求項１２】
前記扉の表面と、前記扉の側面とは、異なる部材によりキャップされている、請求項１０又は１１に記載の冷蔵庫。
【請求項１３】
前記突出部の先端は、前記磁石の前面の位置よりも後方に位置している、請求項１０〜１２のいずれか一項に記載の冷蔵庫。
【発明の詳細な説明】
【技術分野】
【０００１】
本明細書に開示する技術は、冷蔵庫に関する。
【背景技術】
【０００２】
本体に設けられた貯蔵室の前面開口部の周縁部と、前面開口部を開閉する扉と、の間をシールするためのガスケットを備える冷蔵庫が知られている。一般的に、ガスケットは、扉の裏面に設けられた溝部に係合することによって固定される。扉が前面開口部を閉塞した状態では、当該ガスケットが前面開口部の周縁部と扉の裏面との間をシールすることにより、貯蔵室内部の冷気が外部空間に漏洩することが抑制される。
【０００３】
また、扉の内部空間に断熱材が設けられた冷蔵庫が知られている。これにより、貯蔵室内部への熱の流入が低減され、貯蔵室内部の温度が上昇することが抑制される。
【先行技術文献】
【特許文献】
【０００４】
【特許文献１】特開２００５−３１５５４７号公報
【発明の概要】
【発明が解決しようとする課題】
【０００５】
本明細書では、冷蔵庫の断熱性能を向上させることができる技術を提供する。
【課題を解決するための手段】
【０００６】
本明細書に開示する冷蔵庫は、本体と、扉と、ガスケットと、を備える。前記扉は、前記本体に設けられた貯蔵室の前面開口部を開閉する。前記ガスケットは、前記扉の裏面と前記前面開口部の周縁部との間をシールし、前記扉の前記裏面に設けられた溝部に係合する係合部を有する。前記溝部の開口部は、前記本体を正面視したときに、前記扉の前記裏面であって前記溝部より前記本体外周側に位置する部分よりも前記貯蔵室の前記前面開口部側に位置している。
【０００７】
上記の冷蔵庫では、溝部の開口部が、扉の裏面であって溝部より本体外周側に位置する部分よりも前面開口部側（冷蔵庫の奥行き方向における奥側）に位置している。このため、溝部の開口部の位置が扉の裏面の位置と略一致する従来の構成と比較して、溝部より本体外周側において溝部が扉の内部側に入り込む領域が小さくなる。すなわち、扉の内部空間を広く確保することができる。したがって、従来と比較して、扉の内部空間に多くの断熱材を充填することができる。このため、冷蔵庫の断熱性能を向上させることができる。
【図面の簡単な説明】
【０００８】
【図１】実施例の冷蔵庫を模式的に示す正面図。
【図２】左右扉を開放した開放状態の冷蔵庫を模式的に示す斜視図。
【図３】ガスケットを含む右扉の右端部周辺の横断面図（図１のIII−III断面図）。
【図４】ガスケットの横断面図。
【図５】第１突起部及び第２突起部周辺の拡大断面図。
【図６】外力から解放した状態におけるガスケットを含む右扉の右端部周辺の横断面図（図１のIII−III断面図に対応）。
【図７】実施例の冷蔵庫の右扉を開閉する様子を示す図。
【図８】比較例の冷蔵庫の右扉を開閉する様子を示す図。
【発明を実施するための形態】
【０００９】
図面を参照して、実施例の冷蔵庫１０について説明する。図１及び図２に示すように、冷蔵庫１０は、断熱性を有する本体１２と、一対の扉（左扉３０ａ及び右扉３０ｂ）を備えている。また、冷蔵庫１０は、本体１２と右扉３０ｂの間に配置されている右ガスケット５０と、本体１２と左扉３０ａの間に配置されている左ガスケット（図示省略）とを備えている。以下では、冷蔵庫１０の左右方向において、本体１２の中央Ｃに近接する側を「本体中央側」といい、本体１２の中央Ｃから離間する側を「本体外周側」という。また、冷蔵庫１０の前後方向（奥行き方向）において、本体１２の正面側を「前方」といい、本体１２の裏面側を「後方」という。
【００１０】
（本体１２の構成）
図３に示すように、本体１２は、金属製の外箱１２ａと樹脂製の内箱１２ｂとを備えている。外箱１２ａは、その前面側において、本体中央側に略直角に折り曲げられるフランジ部３６を有している。また、フランジ部３６の先端部分からＳ字状に往復するように折り返された第１折り返し部３７及び第２折り返し部３８を有している。第２折り返し部３８は、第１折り返し部３７の先端部分から折り返され、斜め後方に向かって伸びている。内箱１２ｂは、その前面側において、本体外周側に略直角に折り曲げられるフランジ部３９を有している。外箱１２ａと内箱１２ｂとは、フランジ部３９が第１折り返し部３７及び第２折り返し部３８の間に差し込まれることによって結合されている。外箱１２ａと内箱１２ｂとの間には断熱材（例えば発泡断熱材）が充填されている。これによって、断熱性を有する本体１２が構成されている。
【００１１】
本体１２には、その内部に、冷蔵室１４、野菜室１６、製氷室１８、上部冷凍室２０及び下部冷凍室２２が設けられている。冷蔵室１４及び野菜室１６は冷蔵温度帯の貯蔵室であり、製氷室１８、上部冷凍室２０及び下部冷凍室２２は冷凍温度帯の貯蔵室である。図２に示すように、冷蔵室１４の下部には、チルド室２４が設けられており、チルド室２４の側方には、製氷室１８の製氷装置に水を供給するためのタンク２８が着脱可能に設けられている。
【００１２】
冷蔵室１４の前面には、冷蔵室１４を開口する前面開口部１４ａが設けられている。冷蔵室１４には、前面開口部１４ａを介して貯蔵品が収容される。具体的には、図３に示すように、前面開口部１４ａは、本体１２の前面（フランジ部３６、３９の前面）の内側の領域である。同様に、野菜室１６、製氷室１８、上部冷凍室２０及び下部冷凍室２２にもそれぞれ前面開口部（不図示）が設けられている。
【００１３】
（左右扉３０ａ、３０ｂの構成）
左扉３０ａ及び右扉３０ｂは、いわゆる観音開き式の扉である。冷蔵庫１０を正面視して左側の左扉３０ａの左端部は、冷蔵室１４の前方左端部に設けられたヒンジ部材３２によって前面開口部１４ａに対して回動可能に枢支されている。冷蔵庫１０を正面視して右側の右扉３０ｂの右端部は、冷蔵室１４の前方右端部に設けられたヒンジ部材３４によって前面開口部１４ａに対して回動可能に枢支されている。すなわち、左扉３０ａ及び右扉３０ｂが前面開口部１４ａに対して回動することによって、冷蔵室１４の前面開口部１４ａが開放される開放状態と、冷蔵室１４の前面開口部１４ａが閉塞される閉塞状態とに切り換えられる。
【００１４】
図３は、後述するガスケット５０を含む右扉３０ｂの右端部周辺の横断面図である（図１のIII−III断面図である。）。図３においては、左側が本体中央側であり、右側が本体外周側である。また、図３に示されている本体１２に対して右扉３０ｂ側（すなわち、図３の下側）が前方であり、右扉３０ｂに対して本体１２側（すなわち、図３の上側）が後方である。右扉３０ｂは、その前面を覆う矩形状の表面部材４０と、その側面に設けられた側面部材４４と、その裏面を構成する裏面部材４８と、を備える。図３に示すように、表面部材４０と側面部材４４とが結合され、側面部材４４と裏面部材４８とが結合されることによって右扉３０ｂが構成されている。
【００１５】
裏面部材４８は、例えば合成樹脂によって構成されている。裏面部材４８には、溝部７０が設けられている。溝部７０は、本体１２の前面（フランジ部３６、３９）に対向する位置に設けられている。溝部７０は、右扉３０ｂの裏面の外周縁を一巡するように伸びている。溝部７０は、その開口部７０ａから右扉３０ｂの内部空間側（すなわち、前方）に凹となるように形成されている。
【００１６】
溝部７０の開口部７０ａは、本体１２を正面視したときに、右扉３０ｂの裏面の溝部７０より本体外周側に位置する部分Ｐ１よりも冷蔵室１４の前面開口部１４ａ側に位置している。部分Ｐ１は、図３に示すように、溝部７０の開口部７０ａと溝部７０の底部との間の範囲から本体外周側に向かって伸びている。部分Ｐ１は、後述する側面部材４４に結合されている。また、右扉３０ｂの裏面の溝部７０より本体中央側に位置する部分Ｐ２は、溝部７０の開口部７０ａに接続されている。すなわち、部分Ｐ２は、本体１２の奥行き方向（図面上下方向）において、開口部７０ａと略同じ位置から本体中央側に向かって伸びている。部分Ｐ２は、溝部７０の本体中央側の溝部７０（開口部７０ａ）に隣接する部分から、後方に折り曲げられるまでの範囲である。
【００１７】
表面部材４０は、例えばガラス板によって構成されている。表面部材４０の上下左右の外周端には、合成樹脂製のキャップ部材４２（図３では、上部のキャップ部材４２のみ図示）がそれぞれ取付けられている。これら４つのキャップ部材４２によって表面部材４０の四方の辺部が保持されている。
【００１８】
側面部材４４は、例えば合成樹脂によって構成されている。側面部材４４の上端及び下端には、合成樹脂製のキャップ部材４６（図３では、上部のキャップ部材４６のみ図示）がそれぞれ取付けられている。すなわち、右扉３０ｂは、その前面に位置する表面部材４０と、その側面に位置する側面部材４４とが、異なるキャップ部材４２、４６によってそれぞれキャップされている。
【００１９】
また、側面部材４４には、その枢支側（すなわち、本体外周側）の外縁に、右扉３０ｂの裏面に、部分Ｐ１よりも後方に突出する突出部３１が設けられている。突出部３１には、突出部３１の幅（図面左右方向の長さ）が本体外周側から徐々に小さくなる傾斜部３１ａが設けられている。突出部３１の先端と前面開口部１４ａの周縁部１５との間には間隔が設けられている。周縁部１５は、前面開口部１４ａを囲繞するフランジ部３６、３９を含む本体１２の前面である。当該間隔の距離Ｌは、特に限定されるものではないが、例えば、５．６ｍｍ未満である。また、突出部３１の先端は、後述する磁石５４の前面の位置よりも後方に位置しており、冷蔵庫１０を側面視したときに、後述する磁石収容部５６の前面に位置する部材（例えば後述する第３突起部６７等）が隠れるように構成されている。
【００２０】
野菜室１６、製氷室１８、上部冷凍室２０及び下部冷凍室２２には、それぞれ引き出し式の扉１６ａ、１８ａ、２０ａ、２２ａが設けられている。各扉３０ａ、３０ｂ、１６ａ、１８ａ、２０ａ、２２ａの正面部分は、ガラス板によって覆われている。
【００２１】
（ガスケット５０の構成）
冷蔵庫１０はまた、図３に示すように、本体１２と右扉３０ｂの間に配置されているガスケット５０を備えている。図３では、右扉３０ｂに対するガスケット５０が示されているが、左扉３０ａに対しても同様のガスケット５０が配置されている。左扉３０ａに対するガスケット５０については図示を省略する。
【００２２】
ガスケット５０は、右扉３０ｂの裏面（すなわち、本体１２側の面）に取り付けられている。ガスケット５０は、右扉３０ｂの裏面と、冷蔵室１４の前面開口部１４ａの周縁部１５との間をシールする。ガスケット５０は、右扉３０ｂの裏面と、周縁部１５との間を一巡するように設けられている。ガスケット５０は、例えば、ポリ塩化ビニル等の合成樹脂材料を押出成型することにより形成される。図４に示すように、ガスケット５０は、係合部５２と、磁石５４と、磁石収容部５６と、第１連結部５８と、第２連結部６０と、第３連結部６２と、第４連結部６３と、第１突起部６４と、第２突起部６６と、第３突起部６７と、を備えている。
【００２３】
係合部５２は、右扉３０ｂの裏面に設けられた溝部７０に係合して、ガスケット５０を右扉３０ｂに固定する。係合部５２が溝部７０に係合すると、係合部５２の基部５２ａが溝部７０の開口部７０ａを閉鎖する。
【００２４】
磁石５４は、磁石収容部５６内に収容されており、右扉３０ｂの閉塞状態において、前面開口部１４ａの周縁部１５（外箱１２ａのフランジ部３６）に当接する。磁石５４は、その厚み方向（図面上下方向）の長さが、その幅方向（図面左右方向）の長さよりも長くなるように形成されている。また、磁石５４は、本体１２を正面視したときに、溝部７０よりも本体外周側に位置するように設けられている。別言すると、磁石５４は、本体１２を正面視したときに、溝部７０に対して本体外周側にオフセットしている。
【００２５】
第１連結部５８は、ガスケット５０の係合部５２の基部５２ａと磁石収容部５６とを接続する。第１連結部５８は、磁石収容部５６の本体中央側の面の後方側から伸びている。第１連結部５８は、本体中央側に湾曲する第１湾曲部５８ａを有している。具体的には、第１連結部５８は、磁石収容部５６から本体中央側に伸びて溝部７０を超えた後、前方に湾曲する第１湾曲部５８ａを介して本体中央側から係合部５２の基部５２ａに接続されている。すなわち、第１連結部５８は、その両端が第１湾曲部５８ａを介して磁石収容部５６と係合部５２の基部５２ａとに接続されている。
【００２６】
第２連結部６０は、ガスケット５０の係合部５２の基部５２ａと磁石収容部５６とを接続する。第２連結部６０は、磁石収容部５６の本体中央側の面であって、第１連結部５８よりも前方から伸びている。第２連結部６０は、本体中央側に湾曲する第２湾曲部６０ａを有している。具体的には、第２連結部６０は、磁石収容部５６から溝部７０の本体外周側の開口部７０ａ付近において前方に湾曲する第２湾曲部６０ａを介して本体外周側に伸びた後、再び本体中央側に屈曲して係合部５２の基部５２ａに接続されている。
【００２７】
第３連結部６２は、係合部５２の基部５２ａと第１連結部５８との間を接続する。第３連結部６２は、係合部５２の左右方向における中央位置において、ガスケット５０の厚み方向（図面上下方向）に直線状に延在している。
【００２８】
第４連結部６３は、第３連結部６２よりも本体中央側において、係合部５２の基部５２ａと第１連結部５８との間を接続する。第４連結部６３は、本体中央側に湾曲する第４湾曲部６３ａを有している。
【００２９】
ガスケット５０の内部は、上述した基部５２ａ、磁石収容部５６、第１連結部５８、第２連結部６０、第３連結部６２及び第４連結部６３によって、第１袋状部９０、第２袋状部９２、第３袋状部９４に分割されている。各袋状部９０、９２、９４の内部にはそれぞれ空気層が形成されている。詳細には、第１袋状部９０は、磁石収容部５６と第１連結部５８と第３連結部６２と基部５２ａと第２連結部６０とによって規定される空間である。第２袋状部９２は、第１連結部５８と第４連結部６３と基部５２ａと第３連結部６２とによって規定される空間である。第３袋状部９４は、第１連結部５８と基部５２ａと第４連結部６３とによって規定される空間である。
【００３０】
右扉３０ｂを開放状態から閉塞状態に変化させると、図３に示すように、ガスケット５０に外力が加わり、各袋状部９０、９２、９４が前面開口部１４ａの周縁部１５（すなわち、外箱１２ａのフランジ部３６及び内箱１２ｂのフランジ部３９）によって押圧される。これにより、右扉３０ｂの裏面と前面開口部１４ａの周縁部１５との間がシールされる。その結果、冷蔵庫１０の内部空間Ｓ１がその外部空間Ｓ２から断熱される。
【００３１】
第１突起部６４は、第１湾曲部５８ａから本体中央側に突出している。第２突起部６６は、第１湾曲部５８ａの第１突起部６４より後方から本体中央側に突出している。第１突起部６４及び第２突起部６６は、第１湾曲部５８ａから本体中央側にヒレ状に伸びている。図５は、第１突起部６４及び第２突起部６６周辺の拡大断面図である。図５に示すように、第１突起部６４と第２突起部６６の間の範囲Ａ１における第１連結部５８の厚みは、他の部分における第１連結部５８の厚みよりも薄い。また、第３突起部６７は、磁石収容部５６の前面から右扉３０ｂの裏面側に突出している。
【００３２】
図６に示すように、ガスケット５０を外力から解放した状態（すなわち、右扉３０ｂの開放状態）においては、第１連結部５８の後端は、磁石収容部５６の後面よりも後方に位置している。すなわち、各袋状部９０、９２、９４の中で最後端の位置が、磁石収容部５６よりも後方に位置している。そして、右扉３０ｂが開放状態から閉塞状態へ切り換わるとき（図６の状態から図３の状態へ切り換わるとき）に、矢印Ｙ１で示すように、ガスケット５０（第１連結部５８）が周縁部１５に押圧され変形する。このとき、矢印Ｙ２で示すように、第１突起部６４が右扉３０ｂの裏面側に遷移して、溝部７０より本体中央側の右扉３０ｂの裏面部材４８に当接する。また、矢印Ｙ３で示すように、第２突起部６６が本体１２側に遷移して内箱１２ｂに当接する。また、矢印Ｙ４で示すように、第３突起部６７が右扉３０ｂの側面部材４４に当接する。
【００３３】
（効果）
本実施例の冷蔵庫１０では、溝部７０の開口部７０ａの位置が、右扉３０ｂの裏面の本体外周側の部分Ｐ１よりも後方（前面開口部１４ａ側）に位置している。これにより、溝部７０が右扉３０ｂの内部側に入り込む領域が減少するため、右扉３０ｂの内部空間を広く確保することができる。したがって、右扉３０ｂの内部空間に充填される断熱材の量を増大させることができる。また、右扉３０ｂの裏面の溝部７０より本体中央側に位置する部分Ｐ２は、本体１２の奥行き方向において、溝部７０の開口部７０ａと略同じ位置から本体中央側に向かって伸びている。このため、溝部７０よりも本体中央側における右扉３０ｂの内部空間を広く活用することができ、当該空間に多くの断熱材を充填することができる。したがって、本実施例の冷蔵庫１０では、冷蔵庫１０内への熱の流入が低減され、冷蔵庫１０の断熱性能を向上させることができる。なお、一般的に部分Ｐ２はヒンジ部材３４の回動軸中心９６よりも本体中央側に位置しているため、右扉３０ｂの開閉時に部分Ｐ２と周縁部１５との距離が縮まることはない（図７参照）。したがって、本体１２の奥行き方向において部分Ｐ２が溝部７０の開口部７０ａと略同じ位置に位置しても、両者が干渉することはない。
【００３４】
また、本体１２の奥行き方向において、溝部７０の開口部７０ａの一方（本体中央側）の位置が、右扉３０ｂの裏面の位置と略一致しているため、冷蔵庫１０の右扉３０ｂの裏面に位置する部材（溝部７０、部分Ｐ１、Ｐ２等）を、射出成型により容易に製造することができる。
【００３５】
また、本実施例の冷蔵庫１０では、第１連結部５８及び第２連結部６０が、本体中央側に湾曲する第１湾曲部５８ａ及び第２湾曲部６０ａをそれぞれ有している。さらに、第４連結部６３も同様に、本体中央側に湾曲する第４湾曲部６３ａを有している。このように、それぞれの連結部が本体中央側に湾曲する部分を有しているため、右扉３０ｂの開閉方向の柔軟性を十分に確保することができる。
【００３６】
また、本実施例のガスケット５０では、磁石収容部５６から伸びる全ての連結部５８、６０、６２、６３が、磁石収容部５６の本体中央側の面から共に伸びているため、磁石収容部５６の大部分が外部空間Ｓ２に面する。一般的に、磁石５４は、空気よりも熱伝導性が高い。このため、磁石５４は、コンプレッサから冷却器に至る途中で冷媒の温度を下げたり、本体１２の外側面の温度を上げて露付きを防止するための放熱パイプ８０から放出される熱を吸収して冷蔵庫１０内側への伝達を促進してしまう。しかしながら、本実施例では、磁石収容部５６の大部分が冷蔵庫１０の外部空間Ｓ２に面しているため、冷蔵庫１０の内部空間Ｓ１側よりも外部空間Ｓ２側への放熱が支配的となり、冷蔵庫１０内への熱の流入を抑制することができる。
【００３７】
また、本実施例では、本体１２を正面視したときに、磁石５４が溝部７０よりも本体外周側に位置している。このため、本体１２を正面視したときに溝部７０と磁石５４とが重複する構成と比較して、ガスケット５０全体の厚みを低減することができる。さらに、本実施例のガスケット５０では、磁石５４が溝部７０に対してオフセットしていることにより、磁石５４よりも本体中央側の部分（袋状部９０、９２、９４等）の厚みを低減しつつ、磁石５４の厚みを確保することができ、磁石５４の十分な磁力を確保することができる。また、熱伝導率が高い磁石５４の温度が上昇した場合であっても、磁石５４が本体外周側に位置しているため、磁石５４の熱が冷蔵庫１０内へ流入し難い。また、ガスケット５０の袋状部９０、９２、９４の全体と磁石収容部５６との接触面積が小さいため、熱が内部空間Ｓ１側へ伝導し難い。
【００３８】
また、右扉３０ｂの閉塞状態においては、第１突起部６４が右扉３０ｂの裏面に当接することにより空間Ｓ３が形成され、第２突起部６６が内箱１２ｂに当接することにより空間Ｓ４が形成され、第３突起部６７が側面部材４４に当接することにより空間Ｓ５が形成される。このように、右扉３０ｂの閉塞状態においては、各袋状部９０、９２、９４に加えて、空間Ｓ３〜Ｓ５に示す空気層が形成される。このため、ガスケット５０全体の熱伝導率をさらに低減することができ、冷蔵庫１０の断熱性能がより向上する。
【００３９】
また、第１連結部５８は、第１突起部６４と第２突起部６６との間の範囲Ａ１の厚みが、他の部分の厚みよりも薄くなっている。このため、右扉３０ｂが閉塞されて各袋状部９０、９２、９４が押圧されるときには、範囲Ａ１におけるガスケット５０の変形が他の部分における変形よりも大きくなる。したがって、第１突起部６４及び第２突起部６６の角度が変化し易く、各突起部６４、６６を各面に好適に当接させることができる。
【００４０】
また、第１連結部５８と係合部５２の基部５２ａとの間が、直線状の第３連結部６２により接続されている。このため、右扉３０ｂの開放時には、第３連結部６２によって、磁石５４を周縁部１５から効率良く引き離すことができる。
【００４１】
また、図７に示すように、一般的に、ヒンジ部材３４の回動軸中心９６は、冷蔵庫１０の最外側面よりも本体中央側に設けられている。このため、図７に示すように、扉を開閉する過程において、扉の裏面と周縁部１５との距離が、閉塞状態における扉の裏面と周縁部１５との距離Ｌよりも距離Ｌ１だけ接近するタイミングが生じる。本実施例の冷蔵庫１０では、右扉３０ｂの裏面に設けられた突出部３１が傾斜部３１ａを有するため、突出部３１の先端（閉塞状態において周縁部１５に最も近接している部分）が右扉３０ｂの最外側面よりも本体中央側に位置している。このため、図８に示す傾斜部を有さない比較例の冷蔵庫（右扉３００ｂの側面が後方に直線状に伸びる冷蔵庫）１００の右扉３００ｂが開閉する過程において、右扉３００ｂが本体１１２の周縁部１１５に接近する距離Ｌ２と比較して、右扉３０ｂが開閉する過程において、右扉３０ｂが周縁部１５に接近する距離Ｌ１が短い。従来と比較して、突出部３１の先端と周縁部１５とが干渉し難いため、距離Ｌを短く設定することができる。距離Ｌを短く設定することによって、右扉３０ｂと本体１２との間の隙間にユーザの指が入り込むことを抑制することができる。
【００４２】
また、突出部３１の先端の位置を放熱パイプ８０よりも本体中央側とすることにより、放熱パイプ８０から冷蔵庫１０の内部空間Ｓ１への経路が狭くなるため、放熱パイプ８０が放出する熱を冷蔵庫１０の外部空間Ｓ２側へ効率良く放出することができる。
【００４３】
また、本実施例の冷蔵庫１０では、突出部３１の先端と周縁部１５との間の距離Ｌが、０〜３歳程度の乳幼児の指に見立てた５．６ｍｍのフィンガープローブ（ＪＩＳ  Ｃ  ０９２２、プローブコード１９、ＩＥＣ  ６１０３２）よりも狭くなっている。このため、子供の指が右扉３０ｂと本体１２との間に入り込むことが抑制され、安全性が向上する。
【００４４】
また、右扉３０ｂは、その前面を覆う表面部材４０と、その側面に設けられた側面部材４４とが、異なるキャップ部材４２、４６によってそれぞれキャップされている。このため、右扉３０ｂを一体的に構成する場合と比較して製造が容易となる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の用紙を逸脱しない範囲で、種々の省略、置き換え、変更を行うことができる。
【００４６】
上述した実施例では、ガスケット５０が観音式の左右扉３０ａ、３０ｂの裏面に設けられた溝部７０に取り付けられていたが、引き出し式の扉１６ａ、１８ａ、２０ａ、２２ａの裏面に溝部を設けて本明細書に記載のガスケットを取り付けてもよい。また、右扉３０ｂの側面部材４４は突出部３１を有していなくてもよい。
【００４７】
これら実施形態やその変形は、発明の範囲や用紙に含まれると同様に、特許請求の範囲に記載された発明とその均等の範囲に含まれるものである。
【符号の説明】
【００４８】
１０：冷蔵庫、１２：本体、１４：冷蔵室、１４ａ：前面開口部、１６：野菜室、１８：製氷室、２０：上部冷凍室、２２：下部冷凍室、２４：チルド室、２８：タンク、３０ａ：左扉、３０ｂ：右扉、３１：突出部、３１ａ：傾斜部、３２、３４：ヒンジ部材、３６：フランジ部、３７：第１折り返し部、３８：第２折り返し部、３９：フランジ部、４０：表面部材、４２：キャップ部材、４４：側面部材、４６：キャップ部材、４８：裏面部材、５０：ガスケット、５２：係合部、５２ａ：基部、５４：磁石、５６：磁石収容部、５８：第１連結部、５８ａ：第１湾曲部、６０：第２連結部、６０ａ：第２湾曲部、６２：第３連結部、６３：第４連結部、６３ａ：第４湾曲部、６４：第１突起部、６６：第２突起部、６７：第３突起部、７０：溝部、７０ａ：開口部、８０：放熱パイプ、９０：第１袋状部、９２：第２袋状部、９４：第３袋状部
【図１】
2019219082.tif 000003
【図２】
2019219082.tif 000004
【図３】
2019219082.tif 000005
【図４】
2019219082.tif 000006
【図５】
2019219082.tif 000007
【図６】
2019219082.tif 000008
【図７】
2019219082.tif 000009
【図８】
2019219082.tif 000010